(57)【特許請求の範囲】
【請求項１】
足場板の側縁部上に起立姿勢で取り付けられる幅木であって、幅木本体とこれを足場板に固定する固定具とからなり、固定具は、幅木本体の外側面に固定される固定枠と、幅木本体より下方へ突出する固定枠下端部の基枠部に支軸によって回転自在に取り付けられる回転金具と、ロッド部の手前側にネジ部を同軸に連設して、基枠部から回転金具に亘って介在される操作用のネジロッドと、基枠部に設けられ、ネジロッドのネジ部が螺合するナット部材と、ナット部材に挿通したロッド部をロッド部先端側方向に付勢するロッド付勢バネとを備え、回転金具は、支軸より外側の金具部を内側の金具部よりも重くして自重で内側金具部が持ち上がるようにし、その内側金具部の先端側に足場板押えを設け、ネジロッドは、常時はネジ部をナット部材にねじ込むことなくナット部材に挿通したロッド部の先端部で回転金具の内側金具部を上方より当接支持することによって回転金具の平衡状態を保ち、幅木本体を足場板に取り付けるにあたり、足場板の側面部を幅木本体下面と固定枠との間に引き込んだ状態で、ネジロッドをロッド付勢バネに抗して手前側へ引くことによりロッド部が当接していた回転金具の内側金具部とロッド部との縁を切って、回転金具をその自重により内側金具部を持ち上げるように回転変位させ、その回転変位位置でネジ部をナット部材にねじ込んでロッド部先端を外側金具部に押接することにより、回転金具を更に回転させて足場板押えを足場板の側面部内面に押し付けるようにした足場板用幅木。
【請求項２】
足場板の側縁部上に起立姿勢で取り付けられる幅木であって、幅木本体とこれを足場板に固定する固定具とからなり、固定具は、幅木本体の外側面に固定される固定枠と、幅木本体より下方へ突出する固定枠下端部の基枠部に支軸によって回転自在に取り付けられる回転金具と、ロッド部の手前側にネジ部を同軸に連設して、基枠部から回転金具に亘って介在される操作用のネジロッドと、基枠部に設けられ、ネジロッドのネジ部が螺合するナット部材と、ナット部材に挿通したロッド部をロッド部先端側方向に付勢するロッド付勢バネとを備え、固定枠と回転金具とにわたって回転金具回転付勢バネを備え、回転金具は、回転金具回転付勢バネに付勢されて、その支軸より内側の金具部が持ち上がるようにし、その内側金具部の先端側に足場板押えを設け、ネジロッドは、常時はネジ部をナット部材にねじ込むことなくナット部材に挿通したロッド部の先端部で回転金具の内側金具部を上方より当接支持することによって回転金具の平衡状態を保ち、幅木本体を足場板に取り付けるにあたり、足場板の側面部を幅木本体下面と固定枠との間に引き込んだ状態で、ネジロッドをロッド付勢バネに抗して手前側へ引くことによりロッド部が当接していた回転金具の内側金具部とロッド部との縁を切って、回転金具をその回転付勢バネに付勢されて内側金具部を持ち上げるように回転変位させ、その回転変位位置でネジ部をナット部材にねじ込んでロッド部先端を外側金具部に押接することにより、回転金具を更に回転させて足場板押えを足場板の側面部内面に押し付けるようにした足場板用幅木。
【請求項３】
ネジロッドは、蝶形頭部に隣接するネジ部と、このネジ部から同軸一体に延びるロッド部とを有する蝶ボルトからなる請求項１又は２に記載の足場板用幅木。
【請求項４】
固定枠下端部の基枠部には外端部側にナット部材を設け、このナット部材に対向する内端部側に、ナット部材に挿通したネジロッドのロッド部をロッド長手方向スライド自在に支持案内するガイド部を設けてなる請求項１〜３の何れかに記載の足場板用幅木。
【請求項５】
回転金具の内側金具部には、基枠部のナット部材に挿通したロッド部の先端部側を載置する載置部を設けてなる請求項１〜４の何れかに記載の足場板用幅木。
【発明の詳細な説明】
【技術分野】
【０００１】
本発明は、建築現場等で仮設される足場板の側縁部上に起立姿勢に取り付けられる足場板用幅木に関する。
【背景技術】
【０００２】
建築現場等における足場板上での高所作業では、作業者の手にしたボルト、ナット、金具類等の種々の施工用物品や工具類、足元に置いた各種資材や用具等を誤って落下させ、事故につながるという危険性が常に付きまとう。そこで、足場板の側縁部上に幅木を取り付けるようにしている。
【先行技術文献】
【特許文献】
【０００３】
従来の足場板用幅木として、例えば、下記特許文献１に記載されたものがある。これは、幅木本体の外面側に、複数のスライドロック金具が、夫々ロックボルトの回動操作によって幅木本体に対し上下にスライドするように取り付けられ、各スライドロック金具は、幅木本体よりも下方に突出する下部に幅木本体の下面と対向するロック片を備え、このロック片と幅木本体の下面との間に足場板の側縁部を嵌め込んだ状態で、スライドロック金具が上方へスライドするようにロックボルトを締め付けることによって、幅木本体が垂直姿勢に固定されるようになっている。
【特許文献１】特開２００２−２２７４０２号公報
【発明の概要】
【発明が解決しようとする課題】
【０００４】
上記のような従来の足場板用幅木では、足場板への幅木本体の取付け及び取外し操作が面倒で手間がかかるという問題があった。
【０００５】
本発明は、上記の事情に鑑み、足場板への幅木本体の取付け及び取外しを簡単に行える足場板用幅木を提供することを目的とする。
【課題を解決するための手段】
【０００６】
上記課題を解決するための手段を、後述する実施形態の参照符号を付して説明すると、請求項１に係る発明は、足場板１の側縁部上に起立姿勢で取り付けられる幅木であって、幅木本体５とこれを足場板１に固定する固定具６とからなり、固定具６は、幅木本体５の外側面に固定される固定枠７と、幅木本体５より下方へ突出する固定枠７下端部の基枠部８に支軸９によって回転自在に取り付けられる回転金具１０と、ロッド部１１ｂの手前側にネジ部１１ａを同軸に連設して、基枠部８から回転金具１０に亘って介在される操作用のネジロッド１１と、基枠部８に設けられ、ネジロッド１１のネジ部１１ａが螺合するナット部材１２と、ナット部材１２に挿通したロッド部１１ｂをロッド部先端側方向に付勢するロッド付勢バネ１３とを備え、回転金具１０は、支軸９より外側の金具部１０Ａを内側の金具部１０Ｂよりも重くして自重で内側金具部１０Ｂが持ち上がるようにし、その内側金具部１０Ｂの先端側に足場板押え２２を設け、ネジロッド１１は、常時はネジ部１１ａをナット部材１２にねじ込むことなくナット部材１２に挿通したロッド部１１ｂの先端部で回転金具１０の内側金具部１０Ｂを上方より当接支持することによって回転金具１０の平衡状態を保ち、幅木本体５を足場板１に取り付けるにあたり、足場板１の側面部１ｂを幅木本体５下面と固定枠７との間に引き込んだ状態で、ネジロッド１１をロッド付勢バネ１３に抗して手前側へ引くことによりロッド部１１ｂが当接していた回転金具１０の内側金具部１０Ｂとロッド部１１ｂとの縁を切って、回転金具１０をその自重により内側金具部１０Ｂを持ち上げるように回転変位させ、その回転変位位置でネジ部１１ａをナット部材１２にねじ込んでロッド部１１ｂ先端を外側金具部１０Ａに押接することにより、回転金具１０を更に回転させて足場板押え２２を足場板１の側面部１ｂ内面に押し付けるようにしたことを特徴とする。
【０００７】
請求項２に係る発明は、足場板１の側縁部上に起立姿勢で取り付けられる幅木であって、幅木本体５とこれを足場板１に固定する固定具６とからなり、固定具６は、幅木本体５の外側面に固定される固定枠７と、幅木本体５より下方へ突出する固定枠７下端部の基枠部８に支軸９によって回転自在に取り付けられる回転金具１０と、ロッド部１１ｂの手前側にネジ部１１ａを同軸に連設して、基枠部８から回転金具１０に亘って介在される操作用のネジロッド１１と、基枠部８に設けられ、ネジロッド１１のネジ部１１ａが螺合するナット部材１２と、ナット部材１２に挿通したロッド部１１ｂをロッド部先端側方向に付勢するロッド付勢バネ１３とを備え、固定枠７と回転金具１０とにわたって回転金具回転付勢バネ２８を備え、回転金具１０は、回転金具回転付勢バネ２８に付勢されて、その支軸９より内側の金具部１０Ｂが持ち上がるようにし、その内側金具部１０Ｂの先端側に足場板押え２２を設け、ネジロッド１１は、常時はネジ部１１ａをナット部材１２にねじ込むことなくナット部材１２に挿通したロッド部１１ｂの先端部で回転金具１０の内側金具部１０Ｂを上方より当接支持することによって回転金具１０の平衡状態を保ち、幅木本体５を足場板１に取り付けるにあたり、足場板１の側面部１ｂを幅木本体５下面と固定枠７との間に引き込んだ状態で、ネジロッド１１をロッド付勢バネ１３に抗して手前側へ引くことによりロッド部１１ｂが当接していた回転金具１０の内側金具部１０Ｂとロッド部１１ｂとの縁を切って、回転金具１０をその回転付勢バネ２８に付勢されて内側金具部１０Ｂを持ち上げるように回転変位させ、その回転変位位置でネジ部１１ａをナット部材１２にねじ込んでロッド部１１ｂ先端を外側金具部１０Ａに押接することにより、回転金具１０を更に回転させて足場板押え２２を足場板１の側面部１ｂ内面に押し付けるようにしたことを特徴とする。
【０００８】
請求項３は、請求項１又は２に記載の足場板用幅木において、ネジロッド１１は、蝶形頭部１１ｃに隣接するネジ部１１ａと、このネジ部１１ａから同軸一体に延びるロッド部１１ｂとを有する蝶ボルトからなることを特徴とする。
【０００９】
請求項４は、請求項１〜３の何れかに記載の足場板用幅木において、固定枠７下端部の基枠部８には外端部側にナット部材１２を設け、このナット部材１２に対向する内端部側に、ナット部材１２に挿通したネジロッド１１のロッド部１１ｂをロッド長手方向スライド自在に支持案内するガイド部１８を設けてなることを特徴とする。
【００１０】
請求項５は、請求項１〜４の何れかに記載の足場板用幅木において、回転金具１０の内側金具部１０Ｂには、基枠部８のナット部材１２に挿通したロッド部１１ｂの先端部側を載置する載置部２４を設けてなることを特徴とする。
【発明の効果】
【００１１】
上記解決手段による発明の効果を、後述する実施形態の参照符号を付して説明すると、請求項１に係る発明によれば、幅木４の取り付け時は、幅木本体５を足場板１の側縁部上に載せ、足場板１の側面部１ｂを幅木本体５下面と固定枠７との間に引き込んだ状態で、ネジロッド１１を引いて、回転金具１０をその自重で回転させて内側金具部１０Ｂを持ち上げた状態から、ネジロッド１１のネジ部１１ａをナット部材１２にねじ込めばよく、また足場板１の取り外し時は、ネジロッド１１のネジ部１１ａを緩めてナット部材１２から引き出した後、回転金具１０を回転させるだけでよいから、幅木４の取付け及び取外しを簡単且つ容易に行うことができる。
【００１２】
また固定具６は、回転金具１０をその自重により回転させて内側金具部１０Ｂを持ち上げ、この持ち上げた内側金具部１０Ｂの足場板押え２２を足場板１の側面部１ｂに押し付け、固定枠７を足場板１に固定する構造であって、幅木本体５下面から下方に十分な空間部をとれるから、側面部１ｂの高さの高低異なる足場板１にも適用可能である。
【００１３】
請求項２に係る発明によれば、幅木４の取り付け時は、幅木本体５を足場板１の側縁部上に載せ、足場板１の側面部１ｂを幅木本体５下面と固定枠７との間に引き込んだ状態で、ネジロッド１１を引いて、回転金具１０をその回転付勢バネ２８の付勢により回転させて内側金具部１０Ｂを持ち上げた状態から、ネジロッド１１のネジ部１１ａをナット部材１２にねじ込めばよく、また足場板１の取り外し時は、ネジロッド１１のネジ部１１ａを緩めてナット部材１２から引き出した後、回転金具１０をその回転付勢バネ２８の付勢力に抗して回転させるだけでよいから、幅木４の取付け及び取外しを簡単且つ容易に行うことができる。
【００１４】
また固定具６は、回転金具１０をその回転付勢バネ２８の付勢により回転させて内側金具部１０Ｂを持ち上げ、この持ち上げた内側金具部１０Ｂの足場板押え２２を足場板１の側面部１ｂに押し付け、固定枠７を足場板１に固定する構造であって、幅木本体５下面から下方に十分な空間部をとれるから、側面部１ｂの高さの高低異なる足場板１にも適用可能である。
【００１５】
請求項３に係る発明によれば、固定具６のネジロッド１１が、蝶形頭部１１ｃに隣接するネジ部１１ａと、ネジ部１１ａから同軸一体に延びるロッド部１１ｂとを有する蝶ボルトからなるため、ネジロッド１１の押し引き及び回転操作を蝶形頭部１１ｃで容易に行うことができる。
【００１６】
請求項４に係る発明によれば、基枠部８の外端部側にナット部材１２を設け、このナット部材１２に対向する内端部側には、ナット部材１２に挿通したネジロッド１１のロッド部１１ｂをロッド長手方向スライド自在に支持案内するガイド部１８を設けているため、ネジロッド１１を常に水平姿勢に保持することができて、ロッド部１１ｂの先端部により回転金具１０の内側金具部１０Ｂを的確に支持できる。
【００１７】
請求項５に係る発明によれば、回転金具１０の内側金具部１０Ｂに、ナット部材１２に挿通したロッド部１１ｂの先端部側を載置する載置部２４を設けることにより、回転金具１０の内側金具部１０Ｂを所定姿勢に確実に支持することができる。
【図面の簡単な説明】
【００１８】
【図１】本発明に係る足場板用幅木の取付状態を足場の外側から見た外観斜視図である。
【図２】(a) は同幅木の通常時の状態を示す側面図、(b) は同幅木を足場板１に取り付ける取付順序を示す側面でである。
【図３】(a) 及び(b) は引き続き同幅木の取付順序を示す側面図である。
【図４】同幅木の取外し方法を説明する側面図である。
【図５】同幅木の分解斜視図である。
【図６】(a) は固定具を構成する固定枠の正面図、(b) は側面図、(c) は平面図である。
【図７】(a) は固定具を構成する回転金具の正面図、(b) は側面図、(c) は平面図である。
【図８】(a) は幅木を外側面側から見た正面図、(b) は平面図である。
【図９】本発明に係る足場板用幅木の他の実施形態の取付状態を示すもので、(a) は同幅木の通常時の状態を示す側面図、(b) は同幅木を足場板１に取り付ける取付順序を示す側面でである。
【図１０】(a) 及び(b) は引き続き同幅木の取付順序を示す側面図である。
【図１１】同幅木の取外し方法を説明する側面図である。
【図１２】同幅木の取付に用いられる回転金具回転付勢バネを示すもので、（ａ）は側面図、（ｂ）は平面図である。
【発明を実施するための形態】
【００１９】
以下に本発明の好適な一実施形態を図面にもとづいて説明すると、図１に示すように、足場板１は、対向する足場用建枠２，２の横材３，３間に架け渡され、この足場板１の側縁部上に本発明に係る足場板用幅木４が起立姿勢に取り付けられている。足場板１の両端部には夫々フックＦがその左右端側に突設されている。足場板用幅木４は、図１及び図８に示すように、内側壁５ａと、上壁部５ｂと、下壁部５ｃと、上下壁部５ｂ，５ｃから夫々内向きに突出するフランジ５ｄとにより断面略Ｃ字状に形成されると共に、両端部に断面コ字状の端枠部５ｅ（図８参照）がリベットＲで取り付けられてなる幅木本体５を有する。
【００２０】
尚、足場板１は、鋼製の足場板で、図２〜図４に示すように、天板部１ａの長手方向に沿った側縁部から下向きに且つ内向きに一体に延びる断面略Ｌ字状の側面折り曲げ部１ｂ（足場板の側面部）を有する。
【００２１】
図１に示すように、幅木本体５の両端部側に、幅木本体５を足場板４の側縁部上に起立姿勢に載置した状態に固定する固定具６が装備されている。各固定具６は、図２〜図５に示すように、幅木本体５の外側面に固定される固定枠７と、幅木本体５より下方へ突出する固定枠７の下端部に形成された基枠部８に、ボルト（支軸）９によって回転自在に取り付けられる回転金具１０と、図５に示すようにロッド部１１ｂの手前側にネジ部１１ａを同軸に連設して、固定枠７下端部の基枠部８から回転金具１０に亘って介在される操作用のネジロッド１１と、固定枠７の下端部の基枠部８に設けられて、ネジロッド１１のネジ部１１ｂが螺合するナット部材１２と、このナット部材１２に挿通したネジロッド１１をロッド部先端側方向に付勢するコイルバネ１３とによって構成される。
【００２２】
ネジロッド１１は、蝶形頭部１１ｃに隣接するネジ部１１ａと、このネジ部１１ａから同軸一体に延びるロッド部１１ｂとを有する蝶ボルトからなるもので、蝶形頭部１１ｃによって回転操作及び押し引き操作を簡単容易に行うことができる。
【００２３】
上記固定具６の構造について更に詳しく説明すると、固定枠７は、図５及び図６の(a) 〜(c) に示すように、上下方向に延びるチャンネル部１４と、このチャンネル部１４の下端部に設けられた基枠部８とからなり、チャンネル部１４の上部側に、チャンネル部１４の両側板部１４ａ，１４ａから外向き直角に取付板部１５，１５が突設されていて、この取付板部１５，１５が幅木本体５の外面側にある上下フランジ５ｄ，５ｄの所定箇所に当て付けられて、リベットＲ（図２〜図４参照）で取付け固定されるようになっている。
【００２４】
固定枠７下端部の基枠部８は、図５及び図６の(a) 〜(c) に示すように、チャンネル部１４の両側板部１４ａ，１４ａの下端部から内側に直角に突設された両基板部８ａ，８ａと、両基板部８ａ，８ａの底部を塞ぐ底板部８ｂとからなるもので、両基板部８ａ，８ａにはボルト（支軸）９が挿通するボルト挿通孔２７，２７が設けられ、底板部８ｂの内側端部は上向きに折曲延設されて立上片１６を形成し、この立上片１６と対向するチャンネル部１４の背板部１４ｂの下端部には開口部１７が設けられ（図５、図６の(a) 参照）、この開口部１７の外側に前記ナット部材１２が固着されている。そして、前記立上片１６にはナット部材１２と対向する位置には、ナット部材１２に挿通されたネジロッド１１のロッド部１１ｂをロッド長手方向スライド自在に支持案内するガイド孔（ガイド部）１８が設けられている。
【００２５】
回転金具１０は、図５及び図７に示すように、前記基枠部８の両基板部８ａ，８ａを挟むように配設される両側板１９，１９と、底板２０と、両側板１９，１９の夫々外側端部の上端から外向き直角に延設された外向き延設片２１，２１とからなるもので、両側板１９，１９の内側端部には足場板押え２２，２２が設けられ、また両側板１９，１９の夫々中央部には、ボルト（支軸）９が挿通するボルト挿通孔２３，２３が設けられ、底板２０の内側端部寄りには、基枠部８のナット部材１２に挿通され更に前記ガイド孔（ガイド部）１８に通されたロッド部１１ｂの先端部側をスライド自在に載置する載置部２４が設けられている。この載置部２４は、図７の(c) に示すように、底板２０の所要部にコ字状の切り込みを入れて引き起こした切り起こし片２０ａからなる。
【００２６】
そして、この回転金具１０は、ボルト（支軸）９より外側の金具部１０Ａの重量がボルト９より内側の金具部１０Ｂよりも重くなるように設定されていて、ボルト９によりこの回転金具を基枠部８に水平姿勢で回転自在に取り付けた時に、その自重により回転して、内側金具部１０Ｂが持ち上がるようになっている。
【００２７】
上記のように構成される各固定具６を組み立てるには、図５に示すように、固定枠７の下端部にある基枠部８を回転金具１０内に挿入して、回転金具１０の両側板１９，１９に設けてあるボルト挿通孔２３，２３と、基枠部８の両基板部８ａ，８ａに設けてあるボルト挿通孔２７，２７とに亙ってボルト（支軸）９を挿通し、その挿通端部にナット２５を螺合して、基枠部８に回転金具１０をボルト９によって回転自在に取り付ける。この状態では、回転金具１０は、外側金具部１０Ａが内側金具部１０Ｂより重いため、水平姿勢に対し内側金具部１０Ｂが持ち上がった傾斜姿勢となる。
【００２８】
次に、ネジロッド１１のロッド部１１ｂをナット部材１２から基枠部８内に挿通して、その挿通端部よりコイルバネ１３を嵌挿し、このコイルバネ１３の一端部を基枠部８の開口部１７に臨むナット部材１２の内端面に当接すると共に、コイルバネ１３を圧縮した状態でその他端部を、ロッド部１１ｂの中間部に挿着した止めピン２６で止着した後、このロッド部１１ｂを基枠部８内にある立上片１６のガイド孔１８に挿通し、そして持ち上がっている内側金具部１０Ｂを上から押し下げた状態でロッド部１１ｂの挿通端部を、回転金具１０内に設けてある載置部２４上に載置する。
【００２９】
こうして基枠部８側のナット部材１２から立上片１６のガイド孔１８に挿通させたロッド部１１ｂの先端部を回転金具１０側の載置部２４上に載置することによって、回転金具１０は、重量の軽い内側金具部１０Ｂがネジロッド１１のロッド部１１ｂ先端部で上から押し付けられて、内側金具部１０Ｂと外側金具部１０Ａとの均衡状態が保たれる（図２の(a) 参照）。これによって、固定具６の組み立てが完了する。
【００３０】
上記のようにして固定具６を組み立てた後、固定具６の固定枠７を幅木本体５の外面側両端部に固定する。即ち、固定枠７の取付板部１５，１５を、幅木本体５の外面側にある上下フランジ５ｄ，５ｄの所定箇所に当て付けて、リベットＲ（図２〜図４参照）により固定する。こうして固定具６を幅木本体５に取付け固定した幅木４を完成した状態を図２の(a) に示す。
【００３１】
上記のように幅木本体５に固定具６を取り付けた幅木４を足場板１に設置する手順を以下に説明する。
【００３２】
先ず、図２の(b) に示すように、幅木本体５を足場板１の側縁部上に載せて、この足場板１の側面部１ｂを幅木本体５下面と固定枠７との間に引き込んだ状態とする。この時、回転金具１０は、軽い方の内側金具部１０Ｂがネジロッド１１のロッド部１１ｂ先端部で上から押えられて均衡状態を保し、水平姿勢にある。尚、図２の(b) において、実線で示す足場板１の側面部１ｂは、その高さが低い（例えば４０ｍｍ）の足場板１を示し、仮想線で示す側面部１ｂは、高さが高い（例えば５０ｍｍ）足場板１示すもので、この固定具６は、側面部１ｂの高さの高低異なる足場板１にも使用可能となる。
【００３３】
それから、図３の(a) に示すように、蝶ボルトからなるネジロッド１１を、コイルバネ１３の付勢力に抗して手前側へ引くと、ロッド部１１ｂの先端部が回転金具１０の内側金具部１０Ｂの載置部２４から離れて、ロッド部１１ｂと内側金具部１０Ｂとの縁が切れ、そうすると外側金具部１０Ａが内側金具部１０Ｂよりも重いため、外側金具部１０Ａは内側金具部１０Ｂに打ち勝ってその自重により、回転金具１０は、この図３の(a) のように外側金具部１０Ａが下がり、内側金具部１０Ｂが持ち上がった状態に回転変位する。
【００３４】
こうして内側金具部１０Ｂが持ち上がった状態に回転金具１０が回転変位した状態で、ネジロッド１１のネジ部１１ａを基枠部８のナット部材１２に螺合して数回閉め込んで、図３の(a) に示すようにロッド部１１ｂの先端を、外側金具部１０Ａ側の底板２０内面を押接することにより、図３の(b) に示すように回転金具１０が更に回転して、内側金具部１０Ｂの足場板押え２２が足場板１の側面部１ｂに押し付けられ、それによりこの足場板押え２２と固定枠７のチャンネル部１４（正確には、その両側板部１４ａ，１４ａの先端縁１４ｃ，１４ｃ）とで足場板１の側面部１ｂが挟持されて固定枠７が足場板１に固定され、幅木４が幅木本体５が足場板１の側縁部上に載置した状態に固定される。
【００３５】
要するに、幅木４を足場板１に設置する時は、幅木本体５を足場板１の側縁部上に載せて、足場板１の側面部１ｂを幅木本体５下面と固定枠７との間に引き込んだ状態で、ネジロッド１１を手前側へ引いて、回転金具１０を自重で回転させて内側金具部１０Ｂを持ち上げた状態から、ネジロッド１１のネジ部１１ａをナット部材１２に螺合させて数回ねじ込めばよい。
【００３６】
また、幅木４を足場板１から取り外す時は、図４に示すように、ネジロッド１１のネジ部１１ａを緩めてナット部材１２から引き出した後、回転金具１０の外向き延設片２１を持ち上げて回転金具１０を水平姿勢まで回転させるだけでよい。取外し後は、ネジロッド１１のロッド部１１ｂ先端部を内側金具部１０Ｂの載置部２４に載置すれば、図２の(a) に示す元の状態となる。
【００３７】
この幅木４の固定具６では、上記のように回転金具１０を自重により回転させて内側金具部１０Ｂを持ち上げ、この持ち上げた内側金具部１０Ｂの足場板押え２２を足場板１の側面部１ｂに押し付けて、固定枠７を足場板１に固定する構造であって、幅木本体５下面から下方に十分な空間部がとれるから、板厚の異なる複数種類の足場板１にも適用可能となる。
【００３８】
また、この固定具６においては、ネジロッド１１が、蝶形頭部１１ｃに隣接するネジ部１１ａと、ネジ部１１ａから同軸一体に延びるロッド部１１ｂとを有する蝶ボルトからなるため、ネジロッド１１の押し引き及び回転操作を蝶形頭部１１ｃで容易に行うことができる。
【００３９】
またこの固定具６では、基枠部８の外端部側にナット部材１２を設け、このナット部材１２に対向する内端部側に、ナット部材１２に挿通したネジロッド１１のロッド部１１ｂをロッド長手方向スライド自在に支持案内するガイド部１８を設けているため、ネジロッド１１を常に水平姿勢に保持でき、ロッド部１１ｂの先端部によって回転金具１０の内側金具部１０Ｂを的確に支持することができる。
【００４０】
また、回転金具１０の内側金具部１０Ｂに、ナット部材１２に挿通したロッド部１１ｂの先端部側を載置する載置部２４を設けることにより、回転金具１０の内側金具部１０Ｂを所定姿勢に確実に支持することができる。
【００４１】
以上説明した実施形態では、２つの固定具６を幅木本体５の両端部に装備しているが、幅木本体５の長さが長い場合は３つ以上の固定具６を装備してもよく、また幅木本体５の長さが短い場合には、固定具６は幅木本体５の中央部に１つだけ装備してもよい。
【００４２】
以上説明した実施形態では、回転金具１０は、ボルト（支軸）９より外側の金具部１０Ａの重量がボルト９より内側の金具部１０Ｂよりも重くなるように設定され、ボルト９によりこの回転金具を基枠部８に水平姿勢で回転自在に取り付けた時に、その自重により回転して、内側金具部１０Ｂが持ち上がるようにした自重回転方式を採用したものであるが、図９以下に示すように、バネ付勢手段によって回転金具１０を回転させるバネ付勢回転方式を採用してもよい。なお、図９以下の説明において、前記実施形態と同じ構成要素については、同一符号を付してその説明を省略することもある。
【００４３】
即ち、図９に示すように、固定枠７と回転金具１０とにわたってねじりバネからなる回転金具回転付勢バネ２８を介在させて、該回転付勢バネ２８の付勢力によって、回転金具１０は、ボルト（支軸）９より外側の金具部１０Ａがその支軸９より下向きに下がり、ボルト９より内側の金具部１０Ｂが持ち上がるようになっている。
【００４４】
この回転付勢バネ２８は、図１２に示すように、ねじりバネからなり、ねじり巻き部２８ｂとその一端部両側部の二股状の回転側端部２８ａ，２８ａとその他端部中央部の固定側端部２８ｃとからなり、ねじり巻き部２８ｂを支軸９に巻き付け、その一端部両側部の二股状の回転側端部２８ａ，２８ａを回転金具１０に取り付ける。詳細には、図７の（ｃ）に示すように、回転金具１０の底板２０の両側端部に２個の取付孔２９，２９を穿ち、この取付孔２９，２９に前記二股状の回転側端部２８ａ，２８ａを挿入して取り付ける。又、その他端部中央部の固定側端部２８ｃを固定枠７に取り付ける。詳細には、図６の（ｂ）に示すように、固定枠７の基枠部８の背板部１４の中央部に取付孔３０を穿ち、この取付孔３０に前記固定側端部２８ｃを挿入して取り付けるものである。
【００４５】
幅木本体５に固定具６を取り付けた幅木４を足場板１に設置する手順を以下に説明すると、先ず、図９の(b) に示すように、幅木本体５を足場板１の側縁部上に載せて、この足場板１の側面部１ｂを幅木本体５下面と固定枠７との間に引き込んだ状態とする。この時、回転金具１０は、回転付勢バネ２８で上方に付勢されている内側金具部１０Ｂがネジロッド１１のロッド部１１ｂ先端部で上から押えられて均衡状態を保し、水平姿勢にある。尚、図９の(b) において、実線で示す足場板１の側面部１ｂは、その高さが低い（例えば４０ｍｍ）の足場板１を示し、仮想線で示す側面部１ｂは、高さが高い（例えば５０ｍｍ）足場板１示すもので、この固定具６は、側面部１ｂの高さの高低異なる足場板１にも使用可能となることは、前記自重回転方式の取付状態と同じである。
【００４６】
それから、図１０の(a) に示すように、蝶ボルトからなるネジロッド１１を、コイルバネ１３の付勢力に抗して手前側へ引くと、ロッド部１１ｂの先端部が回転金具１０の内側金具部１０Ｂの載置部２４から離れて、ロッド部１１ｂと内側金具部１０Ｂとの縁が切れ、そうすると回転付勢バネ２８の付勢力によって、支軸９を中心に外側金具部１０Ａが下がり、内側金具部１０Ｂが持ち上がった状態に回転変位する。
【００４７】
こうして内側金具部１０Ｂが持ち上がった状態に回転金具１０が回転変位した状態で、ネジロッド１１のネジ部１１ａを基枠部８のナット部材１２に螺合して数回閉め込んで、図１０の(a) に示すようにロッド部１１ｂの先端を、外側金具部１０Ａ側の底板２０内面を押接することにより、図１０の(b) に示すように回転金具１０が更に回転して、内側金具部１０Ｂの足場板押え２２が足場板１の側面部１ｂに押し付けられ、それによりこの足場板押え２２と固定枠７のチャンネル部１４とで足場板１の側面部１ｂが挟持されて固定枠７が足場板１に固定され、幅木４が幅木本体５が足場板１の側縁部上に載置した状態に固定される。
【００４８】
要するに、幅木４を足場板１に設置する時は、幅木本体５を足場板１の側縁部上に載せて、足場板１の側面部１ｂを幅木本体５下面と固定枠７との間に引き込んだ状態で、ネジロッド１１を手前側へ引くことによって、回転金具１０を回転付勢バネ２８の付勢力によって回転させて内側金具部１０Ｂを持ち上げた状態から、ネジロッド１１のネジ部１１ａをナット部材１２に螺合させて数回ねじ込めばよい。
【００４９】
また、幅木４を足場板１から取り外す時は、図１１に示すように、ネジロッド１１のネジ部１１ａを緩めてナット部材１２から引き出した後、回転付勢バネ２８の付勢力に抗して回転金具１０の外向き延設片２１を持ち上げて回転金具１０を水平姿勢まで回転させるだけでよい。取外し後は、ネジロッド１１のロッド部１１ｂ先端部を内側金具部１０Ｂの載置部２４に載置すれば、図９の(a) に示す元の状態となる。
【００５０】
この回転付勢バネ２８によるバネ付勢回転方式だけで、回転金具１０を回転させるようにしてもよいが、前記自重回転方式による回転力を補うために、バネ付勢回転方式を併用してもよい。即ち、回転金具１０の外側金具部１０Ａを内側金具部１０Ｂよりも重く、両者の重量差によって回転金具１０に回転力を付与するだけでは、未だ回転力が不足している場合に、このバネ付勢回転方式を併用することによって回転金具１０の回転力を円滑に取り出すことができ、その作動状態を良好に維持することができる。
【符号の説明】
【００５１】
１            足場板
２            足場用建枠
３            足場用建枠の横材
４            足場板用幅木
５            幅木本体
６            固定具
７            固定枠
８            基枠部
９            支軸
１０          回転金具
１０Ａ        回転金具の外側金具部
１０Ｂ        回転金具の内側金具部
１１          ネジロッド
１１ａ        ネジ部
１１ｂ        ロッド部
１２          ナット部材
１３          ロッド付勢バネ（コイルバネ）
１８          ガイド部
２２          足場板押え
２４          載置部
２８          回転金具回転付勢バネ（ねじりバネ）
２９          固定枠側の取付孔
３０          回転金具側の取付孔
【図１】
0005513049.tif 000002
【図２】
0005513049.tif 000003
【図３】
0005513049.tif 000004
【図４】
0005513049.tif 000005
【図５】
0005513049.tif 000006
【図６】
0005513049.tif 000007
【図７】
0005513049.tif 000008
【図８】
0005513049.tif 000009
【図９】
0005513049.tif 000010
【図１０】
0005513049.tif 000011
【図１１】
0005513049.tif 000012
【図１２】
0005513049.tif 000013